(57)【特許請求の範囲】
【請求項１】
第１及び第２のネットワークと、前記第１のネットワークに対応して通信端末に関する情報を管理する第１の情報管理装置と、前記第２のネットワークに対応して通信端末に関する情報を管理する第２の情報管理装置とを有する通信システムであって、
前記第１及び第２のネットワークに共通の加入者番号を用意し、
通信端末に対して前記第１のネットワークが活性化されることにより実現される第１の通信サービスと、前記第２のネットワークが活性化されることにより実現される第２の通信サービスとを選択的に提供し、
前記第１及び第２の情報管理装置によって管理される前記第１及び第２のネットワークの活性化状態を示す活性化情報の同期をとる同期手段を備え、
前記第１の情報管理装置は、前記第１のネットワーク内の交換局に対して前記通信端末に関する情報を提供し、前記第２の情報管理装置は、前記第２のネットワーク内の交換局に対して前記通信端末に関する情報を提供する場合に、
前記第１の情報管理装置は、
前記第１及び第２のネットワークの活性化状態を示す第１の活性化情報を管理する第１の活性化情報管理手段と、
前記第２のネットワークが活性化され、前記第２の通信サービスの提供を受けている前記通信端末から前記第１の通信サービスへの切替要求を受けた場合に、前記第２のネットワークの活性化を示す第１の活性化情報を前記第２のネットワークの活性化から前記第１のネットワークの活性化への切替中であることを示す情報に更新する第１の活性化情報更新手段と、
を備え、前記第２の情報管理装置は、
前記第１及び第２のネットワークの活性化状態を示す第２の活性化情報を管理する第２の活性化情報管理手段と、
前記第１の活性化情報更新手段により第１の活性化情報が更新された場合に、前記第２のネットワークの活性化を示す第２の活性化情報を前記第２のネットワークの活性化から前記第１のネットワークの活性化への切替中であることを示す情報に更新する第２の活性化情報更新手段と、
を備え、前記第１の情報管理装置は、
前記第２の活性化情報更新手段により第２の活性化情報が更新された場合に、前記第２のネットワークの活性化から前記第１のネットワークの活性化への切替中であることを示す第１の活性化情報を前記第１のネットワークの活性化を示す情報に更新する第３の活性化情報更新手段を備え、
前記第２の情報管理装置は、
前記第３の活性化情報更新手段により第１の活性化情報が更新された場合に、前記第２のネットワークの活性化から前記第１のネットワークの活性化への切替中であることを示す第２の活性化情報を前記第１のネットワークの活性化を示す情報に更新する第４の活性化情報更新手段を備え、
前記活性化情報は通信端末の在圏エリアと該通信端末の前記共通の加入者番号による通信の許否との組み合わせで決定され、
前記通信端末に関する情報は、該通信端末のＩＰアドレスで識別可能な情報である
ことを特徴とする通信システム。
【請求項２】
請求項１に記載の通信システムにおいて、
前記第２の活性化情報更新手段による第２の活性化情報の更新前から前記第２の通信サービスの提供を受けている通信端末によって通信が行われている場合に、該通信は前記第２の活性化情報更新手段による第２の活性化情報の更新後も継続可能であることを特徴とする通信システム。
【請求項３】
請求項２に記載の通信システムにおいて、
前記第３及び第４の活性化情報更新手段は、前記第２の活性化情報更新手段による第２の活性化情報の更新前から前記第２の通信サービスの提供を受けている通信端末によって通信が行われている場合に、該通信の終了後に前記第２の活性化情報を更新することを特徴とする通信システム。
【請求項４】
請求項１乃至３の何れか１項に記載の通信システムにおいて、
前記第１及び第２のネットワークは移動通信ネットワークであり、前記通信端末は移動機であることを特徴とする通信システム。
【請求項５】
請求項１乃至４の何れか１項に記載の通信システムにおいて、
前記第１の活性化情報管理手段は１又は複数のホームロケーションレジスタであり、前記第２の活性化情報管理手段は１又は複数のビジターロケーションレジスタであることを特徴とする通信システム。
【請求項６】
第１及び第２のネットワークと、前記第１のネットワークに対応して通信端末に関する情報を管理する第１の情報管理装置と、前記第２のネットワークに対応して通信端末に関する情報を管理する第２の情報管理装置とを有し、前記第１及び第２のネットワークに共通の加入者番号を用意する通信システムで使用される通信サービス切替方法であって、
通信端末に対して前記第１のネットワークが活性化されることにより実現される第１の通信サービスと、前記第２のネットワークが活性化されることにより実現される第２の通信サービスとを選択的に切り替える当該通信サービス切替方法は、
前記第１及び第２の情報管理装置によって管理される前記第１及び第２のネットワークの活性化状態を示す活性化情報の同期をとるステップを備え、
前記第１の情報管理装置は、前記第１のネットワーク内の交換局に対して前記通信端末に関する情報を提供し、前記第２の情報管理装置は、前記第２のネットワーク内の交換局に対して前記通信端末に関する情報を提供する場合に、
前記第１の情報管理装置が前記第１及び第２のネットワークの活性化状態を示す第１の活性化情報を管理するステップと、
前記第１の情報管理装置が前記第２のネットワークが活性化され、前記第２の通信サービスの提供を受けている前記通信端末から前記第１の通信サービスへの切替要求を受けた場合に、前記第２のネットワークの活性化を示す第１の活性化情報を前記第２のネットワークの活性化から前記第１のネットワークの活性化への切替中であることを示す情報に更新するステップと、
前記第２の情報管理装置が前記第１及び第２のネットワークの活性化状態を示す第２の活性化情報とを管理するステップと、
前記第２の情報管理装置が前記第１の情報管理装置により前記第２のネットワークの活性化を示す第１の活性化情報が前記第２のネットワークの活性化から前記第１のネットワークの活性化への切替中であることを示す情報に更新された場合に、前記第２のネットワークの活性化を示す第２の活性化情報を前記第２のネットワークの活性化から前記第１のネットワークの活性化への切替中であることを示す情報に更新するステップと、
前記第１の情報管理装置が前記第２の情報管理装置により前記第２のネットワークの活性化を示す第２の活性化情報が前記第２のネットワークの活性化から前記第１のネットワークの活性化への切替中であることを示す情報に更新された場合に、前記第２のネットワークの活性化から前記第１のネットワークの活性化への切替中であることを示す第１の活性化情報を前記第１のネットワークの活性化を示す情報に更新するステップと、
前記第２の情報管理装置が前記第１の情報管理装置により前記第２のネットワークの活性化から前記第１のネットワークの活性化への切替中であることを示す第１の活性化情報が前記第１のネットワークの活性化を示す情報に更新された場合に、前記第２のネットワークの活性化から前記第１のネットワークの活性化への切替中であることを示す第２の活性化情報を前記第１のネットワークの活性化を示す情報に更新するステップと、
を備え、前記活性化情報は通信端末の在圏エリアと該通信端末の前記共通の加入者番号による通信の許否との組み合わせで決定され、
前記通信端末に関する情報は、該通信端末のＩＰアドレスで識別可能な情報である
ことを特徴とする通信サービス切替方法。
【請求項７】
請求項６に記載の通信サービス切替方法において、
前記第２の情報管理装置により、前記第２のネットワークの活性化を示す第２の活性化情報が前記第２のネットワークの活性化から前記第１のネットワークの活性化への切替中であることを示す情報に更新される前から前記第２の通信サービスの提供を受けている通信端末によって通信が行われている場合に、該通信は、前記第２の情報管理装置により、前記第２のネットワークの活性化を示す第２の活性化情報が前記第２のネットワークの活性化から前記第１のネットワークの活性化への切替中であることを示す情報に更新された後も継続可能であることを特徴とする通信サービス切替方法。
【請求項８】
請求項７に記載の通信サービス切替方法において、
前記第１及び第２の情報管理装置は、前記第２のネットワークの活性化を示す第２の活性化情報が前記第２のネットワークの活性化から前記第１のネットワークの活性化への切替中であることを示す情報に更新される前から前記第２の通信サービスの提供を受けている通信端末によって通信が行われている場合に、該通信の終了後に前記第２のネットワークの活性化から前記第１のネットワークの活性化への切替中であることを示す第２の活性化情報を前記第１のネットワークの活性化を示す情報に更新することを特徴とする通信サービス切替方法。
【請求項９】
請求項６乃至８の何れか１項に記載の通信サービス切替方法において、
前記第１及び第２のネットワークは移動通信ネットワークであり、前記通信端末は移動機であることを特徴とする通信サービス切替方法。
【請求項１０】
請求項６乃至９の何れか１項に記載の通信サービス切替方法において、
前記第１の情報管理装置は、前記第１の通信サービスに必要な通信端末の情報と、前記第１及び第２のネットワークの活性化状態を示す第１の活性化情報とを１又は複数のホームロケーションレジスタに管理し、
前記第２の情報管理装置は、前記第２の通信サービスに必要な通信端末の情報と、前記第１及び第２のネットワークの活性化状態を示す第１の活性化情報とを１又は複数のビジターロケーションレジスタに管理することを特徴とする通信サービス切替方法。
【発明の詳細な説明】
【０００１】
【発明の属する技術分野】
【０００２】
本発明は、通信ネットワーク、通信方法、通信システム及び通信サービス切替方法に関し、特に、網内に複数の加入者データベースを備える網間において同一番号でサービス提供を行う通信ネットワーク、通信方法、通信システム及び通信サービス切替方法に関する。
【従来の技術】
【０００３】
特開平１１−２３４７４８号公報に開示された移動体通信システムでは、各交換局に移動局の情報を提供するサービス制御局において、電話番号記憶部と機体番号記憶部と所在情報記憶部と利用可否フラグとを格納するデータベース（同公報第２図参照）を設け、電話番号記憶部において複数の移動局に共通の電話番号を記憶し、機体番号記憶部において各移動局の機体番号を記憶し、所在情報部において各移動局の在圏エリアを記憶する。さらに、利用可否フラグにおいて、各移動局のうち発呼および着呼可能なものを択一的に指定するようにする。これにより、同一電話番号を複数の移動局で使用できるようにし、これらの移動局において、セキュリティと確実な着信とを確保している。
【発明が解決しようとする課題】
【０００４】
しかしながら、同公報に開示された移動体通信システムにおいては、例えばＧＳＭ方式の移動通信システムのごとく、サービス制御局にホームロケーションレジスタ（ＨＬＲ）等のマスタの加入者データベースを有し、かつ交換局にビジターロケーションレジスタ（ＶＬＲ）等のスレブの加入者データベースを有する場合においては、マスタデータベースとスレブデータベースの状態を一致させることが必要となるという問題点がある。
【０００５】
また、サービス制御局にマスタの加入者データベースを有し、かつ交換局にスレブの加入者データベースを有する移動網と、サービス制御局にマスタの加入者データベースのみを有する移動網との間でローミングを行う場合においては、網間のデータベースの状態および各網におけるマスタデータベースとスレブデータベースの状態を一致させることが必要となるという問題点がある。
【０００６】
本発明の目的は、上記問題点に鑑み、サービス制御局にマスタの加入者データベースを有し、かつ交換局にスレブの加入者データベースを有する場合においても、マスタデータベースとスレブデータベースの状態を一致させ、いずれの網においても同一番号により発着信を行うことができる通信ネットワーク、通信方法、通信システム及び通信サービス切替方法を提供することにある。
【０００７】
また、本発明の他の目的は、上記問題点に鑑み、サービス制御局にマスタの加入者データベースを有し、かつ交換局にスレブの加入者データベースを有する移動網と、サービス制御局にマスタの加入者データベースのみを有する移動網との間でローミングを行う場合においても、網間のデータベースの状態および各網におけるマスタデータベースとスレブデータベースの状態を一致させ、いずれの網においても同一番号により発着信を行うことができる通信ネットワーク、通信システム、通信方法及び通信サービス切替方法を提供することにある。
【課題を解決するための手段】
【０００８】
このような目的を達成するために、本発明の一形態では、複数の加入者データベースを備えた通信ネットワークにおいて、前記加入者データベースにおいて、通信端末の識別番号および活性化情報を記録する記録手段と、前記複数の加入者データベースにおいて、活性化情報の同期をとる同期手段とを備えたことを特徴とする。
【０００９】
本発明の一形態では、上記の通信ネットワークにおいて、前記通信ネットワークは移動通信ネットワークであり、前記通信端末は移動機であることを特徴とする。
【００１０】
本発明の一形態では、上記の記載の通信ネットワークにおいて、前記識別番号は電話番号、機体番号、ＩＰアドレスのうちのいずれかであることを特徴とする。
【００１１】
本発明の一形態では、上記の通信ネットワークにおいて、前記加入者データベースは、１つまたは２つ以上のホームロケーションレジスタ、および、１つまたは２つ以上のビジターロケーションレジスタであることを特徴とする。
【００１２】
本発明の一形態では、複数の加入者データベースを備えた通信ネットワークにおける通信方法において、前記加入者データベースにおいて、通信端末の識別番号および活性化情報を記録する記録ステップと、前記複数の加入者データベースにおいて、活性化情報の同期をとる同期ステップとを備えることを特徴とする。
【００１３】
本発明の一形態では、上記の通信方法において、前記通信システムは移動通信システムであり、前記通信端末は移動機であることを特徴とする。
【００１４】
本発明の一形態では、上記の通信方法において、前記識別番号は電話番号、機体番号、ＩＰアドレスのうちのいずれかであることを特徴とする。
【００１５】
本発明の一形態では、上記の通信方法において、前記加入者データベースは、１つまたは２つ以上のホームロケーションレジスタ、および、１つまたは２つ以上のビジターロケーションレジスタであることを特徴とする。
【００１６】
これにより、本発明の通信ネットワークおよび通信方法は、加入者データベース（例えば、ホームロケーションレジスタ、ビジターロケーションレジスタ等）において、通信端末の識別番号および活性化情報を記録し、前記複数の加入者データベースにおいて活性化情報の同期をとるので、網内に複数の加入者データベースを有する網間において同一番号での発着信を行う等のサービス提供が可能となる。すなわち、各加入者データベースには、識別番号（電話番号、機体番号、ＩＰアドレス等）とその活性化情報（例えば、利用可能な網の情報）を有しているので、通信端末（移動機等）がどの網に存在しているか判別可能となる。そして、各加入者データベースは、それぞれ同期をとっているため、すべての通信システムにおいて整合性のとれた加入者情報を管理することができる。
【００１７】
また、上記の目的を達成するため、本発明の一形態では、第１及び第２のネットワークと、前記第１のネットワークに対応し通信端末に関する情報を管理する第１の情報管理装置と、前記第２のネットワークに対応し通信端末に関する情報を管理する第２の情報管理装置とを有し、前記通信端末に対して前記第１のネットワークが活性化されることにより実現される第１の通信サービスと、前記第２のネットワークが活性化されることにより実現される第２の通信サービスとを選択的に提供する通信システムにおいて、前記第１及び第２の情報管理装置によって管理される前記第１及び第２のネットワークの活性化状態を示す活性化情報の同期をとる同期手段を備えることを特徴とする。
【００１８】
このような通信システムでは、加入者データベースとしての第１及び第２の情報管理装置（例えば、ホームロケーションレジスタ、ビジターロケーションレジスタ等）において、活性化情報の同期をとるので、網内に複数の加入者データベースを有する網間において同一番号での発着信を行う等のサービス提供が可能となる。
【００１９】
本発明の一形態では、上記の通信システムにおいて、前記第１の情報管理装置は、前記第１のネットワーク内の交換局に対して通信端末に関する情報を提供し、前記第２の情報管理装置は、前記第２のネットワーク内の交換局に対して通信端末に関する情報を提供する場合に、前記第１の情報管理装置は、前記第１及び第２のネットワークの活性化状態を示す第１の活性化情報を管理する第１の活性化情報管理手段と、前記第２のネットワークが活性化され、前記第２の通信サービスの提供を受けている通信端末から前記第１の通信サービスへの切替要求を受けた場合に、前記第２のネットワークの活性化を示す第１の活性化情報を前記第２のネットワークの活性化から前記第１のネットワークの活性化への切替中であることを示す情報に更新する第１の活性化情報更新手段とを備え、前記第２の情報管理装置は、前記第１及び第２のネットワークの活性化状態を示す第２の活性化情報を管理する第２の活性化情報管理手段と、前記第１の活性化情報更新手段により第１の活性化情報が更新された場合に、前記第２のネットワークの活性化を示す第２の活性化情報を前記第２のネットワークの活性化から前記第１のネットワークの活性化への切替中であることを示す情報に更新する第２の活性化情報更新手段とを備え、前記第１の情報管理装置は、前記第２の活性化情報更新手段により第２の活性化情報が更新された場合に、前記第２のネットワークの活性化から前記第１のネットワークの活性化への切替中であることを示す第１の活性化情報を前記第１のネットワークの活性化を示す情報に更新する第３の活性化情報更新手段を備え、前記第２の情報管理装置は、前記第３の活性化情報更新手段により第１の活性化情報が更新された場合に、前記第２のネットワークの活性化から前記第１のネットワークの活性化への切替中であることを示す第２の活性化情報を前記第１のネットワークの活性化を示す情報に更新する第４の活性化情報更新手段を備えることを特徴とする。
【００２０】
このような通信システムでは、第１のネットワーク内の交換局に対し、通信端末に関する情報を提供する第１の情報管理装置と、第２のネットワーク内の交換局に対し、通信端末に関する情報を提供する第２の情報管理装置は、活性化情報を第２のネットワークの活性化を示す情報から第１のネットワークの活性化を示す情報へ直接更新するのではなく、一旦、第２のネットワークの活性化から第１のネットワークの活性化への切替中であることを示す情報に更新し、更に切替中であることを示す情報から第１のネットワークの活性化を示す情報に更新することにより、当該活性化情報が切替中の場合には、第１及び第２のネットワークの双方を利用した新たな発信ができなくなる。更に、第１の情報管理装置が管理する活性化情報が切替中から第１のネットワークの活性化を示す情報に更新された後、第２の情報管理装置が管理する活性化情報が切替中から第１のネットワークの活性化を示す情報に更新されるまでの間は、通信端末は第１のネットワークを利用した新たな発信のみを行うことができる。このため、第１及び第２のネットワークを利用した通信が同時に可能となることを抑制することができる。
【００２１】
本発明の一形態では、上記の通信システムにおいて、前記第２の活性化情報更新手段による第２の活性化情報の更新前から前記第２の通信サービスの提供を受けている通信端末によって通信が行われている場合に、該通信は前記第２の活性化情報更新手段による第２の活性化情報の更新後も継続可能であることを特徴とする。
【００２２】
この場合には、第２のネットワークを利用して継続されている通信が中断されてしまうことを防止することができる。
【００２３】
本発明の一形態では、上記の通信システムにおいて、前記第３及び第４の活性化情報更新手段は、前記第２の活性化情報更新手段による第２の活性化情報の更新前から前記第２の通信サービスの提供を受けている通信端末によって通信が行われている場合に、該通信の終了後に前記第２の活性化情報を更新することを特徴とする。
【００２４】
この場合も、上記の発明と同様、第２のネットワークを利用して継続されている通信が中断されてしまうことを防止することができる。
【００２５】
本発明の一形態では、上記の何れかに記載の通信システムにおいて、前記第１及び第２のネットワークは移動通信ネットワークであり、前記通信端末は移動機であることを特徴とする。
【００２６】
本発明の一形態では、上記の何れかに記載の通信システムにおいて、前記第１の活性化情報管理手段は１又は複数のホームロケーションレジスタであり、前記第２の活性化情報管理手段は１又は複数のビジターロケーションレジスタであることを特徴とする。
【００２７】
本発明の一形態では、第１及び第２のネットワークと、前記第１のネットワークに対応して通信端末に関する情報を管理する第１の情報管理装置と、前記第２のネットワークに対応して通信端末に関する情報を管理する第２の情報管理装置とを有する通信システムにて、前記通信端末に対して前記第１のネットワークが活性化されることにより実現される第１の通信サービスと、前記第２のネットワークが活性化されることにより実現される第２の通信サービスとを選択的に切り替える通信サービス切替方法において、前記第１及び第２の情報管理装置によって管理される前記第１及び第２のネットワークの活性化状態を示す活性化情報の同期をとるステップを備えることを特徴とする。
【００２８】
本発明の一形態では、上記の通信サービス切替方法において、前記第１の情報管理装置は、前記第１のネットワーク内の交換局に対して通信端末に関する情報を提供し、前記第２の情報管理装置は、前記第２のネットワーク内の交換局に対して通信端末に関する情報を提供する場合に、前記第１の情報管理装置が前記第１及び第２のネットワークの活性化状態を示す第１の活性化情報を管理するステップと、前記第１の情報管理装置が前記第２のネットワークが活性化され、前記第２の通信サービスの提供を受けている通信端末から前記第１の通信サービスへの切替要求を受けた場合に、前記第２のネットワークの活性化を示す第１の活性化情報を前記第２のネットワークの活性化から前記第１のネットワークの活性化への切替中であることを示す情報に更新するステップと、前記第２の情報管理装置が前記第１及び第２のネットワークの活性化状態を示す第２の活性化情報とを管理するステップと、前記第２の情報管理装置が前記第１の情報管理装置により前記第２のネットワークの活性化を示す第１の活性化情報が前記第２のネットワークの活性化から前記第１のネットワークの活性化への切替中であることを示す情報に更新された場合に、前記第２のネットワークの活性化を示す第２の活性化情報を前記第２のネットワークの活性化から前記第１のネットワークの活性化への切替中であることを示す情報に更新するステップと、前記第１の情報管理装置が前記第２の情報管理装置により前記第２のネットワークの活性化を示す第２の活性化情報が前記第２のネットワークの活性化から前記第１のネットワークの活性化への切替中であることを示す情報に更新された場合に、前記第２のネットワークの活性化から前記第１のネットワークの活性化への切替中であることを示す第１の活性化情報を前記第１のネットワークの活性化を示す情報に更新するステップと、前記第２の情報管理装置が前記第１の情報管理装置により前記第２のネットワークの活性化から前記第１のネットワークの活性化への切替中であることを示す第１の活性化情報が前記第１のネットワークの活性化を示す情報に更新された場合に、前記第２のネットワークの活性化から前記第１のネットワークの活性化への切替中であることを示す第２の活性化情報を前記第１のネットワークの活性化を示す情報に更新するステップとを備えることを特徴とする。
【００２９】
本発明の一形態では、上記の通信サービス切替方法において、前記第２の情報管理装置により、前記第２のネットワークの活性化を示す第２の活性化情報が前記第２のネットワークの活性化から前記第１のネットワークの活性化への切替中であることを示す情報に更新される前から前記第２の通信サービスの提供を受けている通信端末によって通信が行われている場合に、該通信は、前記第２の情報管理装置により、前記第２のネットワークの活性化を示す第２の活性化情報が前記第２のネットワークの活性化から前記第１のネットワークの活性化への切替中であることを示す情報に更新された後も継続可能であることを特徴とする。
【００３０】
本発明の一形態では、上記の通信サービス切替方法において、前記第１及び第２の情報管理装置は、前記第２のネットワークの活性化を示す第２の活性化情報が前記第２のネットワークの活性化から前記第１のネットワークの活性化への切替中であることを示す情報に更新される前から前記第２の通信サービスの提供を受けている通信端末によって通信が行われている場合に、該通信の終了後に前記第２のネットワークの活性化から前記第１のネットワークの活性化への切替中であることを示す第２の活性化情報を前記第１のネットワークの活性化を示す情報に更新することを特徴とする。
【００３１】
本発明の一形態では、上記の何れかに記載の通信サービス切替方法において、前記第１及び第２のネットワークは移動通信ネットワークであり、前記通信端末は移動機であることを特徴とする。
【００３２】
本発明の一形態では、上記の何れかに記載の通信サービス切替方法において、前記第１の情報管理装置は、前記第１の通信サービスに必要な通信端末の情報と、前記第１及び第２のネットワークの活性化状態を示す第１の活性化情報とを１又は複数のホームロケーションレジスタに管理し、前記第２の情報管理装置は、前記第２の通信サービスに必要な通信端末の情報と、前記第１及び第２のネットワークの活性化状態を示す第１の活性化情報とを１又は複数のビジターロケーションレジスタに管理することを特徴とする。
【発明の実施の形態】
【００３３】
以下、図面を参照しながら、本発明の実施形態について詳細に説明する。
【００３４】
図１は、本発明が適用される移動通信システムのシステム構成の一例を示す図であり、本システムの構成のうち本発明に関係する部分のみを概念的に示している。
【００３５】
図１（ａ）および（ｂ）に示す移動通信システムにおいては、複数ＤＢを持つ網間において、複数移動機もしくは複数識別を持つ単一移動機において、同一番号でのサービス提供が可能となる。
【００３６】
図１（ａ）は、サービス制御局１０にマスタの加入者データベース４０を有し、かつ交換局２０にスレブの加入者データベース５０を有する移動網（右側）と、サービス制御局１０にマスタの加入者データベース４０のみを有する移動網（左側）との間で相互接続しローミングを行うことが可能となる移動通信システムである。
【００３７】
図１（ｂ）は、サービス制御局１０にマスタの加入者データベース４０を有し、かつ交換局２０にスレブの加入者データベース５０を有する双方の移動網の間で相互接続しローミングを行うことが可能となる移動通信システムである。
【００３８】
図１において、６０は加入者によって使用される移動局であり、各々に対して個別の機体番号ＭＳＩと、電話番号ＭＳＮとが付与されている。また、おのおのに対して同様にＩＰアドレスが付与されていてもよい。なお、移動局はハンディタイプ、車載型、ノートパソコン内蔵型のものであってもよい。更に自動販売機などのあらゆる定位置に設置された機器についても、ＳＩＭカードを装着することによって適用できることは言うまでもない。ここで、同一の電話番号を有する複数の移動局を使用する加入者を「複数移動局契約者」と呼ぶ。また、１の電話番号を有する単一の移動局を使用する加入者を「単数移動局契約者」と呼ぶ。
【００３９】
ここで、図１において、（ａ）、（ｂ）ともに、移動機が別であることは必須条件ではなく、左網と右網とで異なる移動機、もしくは、同一の移動機で複数の識別番号を有する移動機（例えば、ＳＩＭカードに識別番号を記憶しておき移動機にそのＳＩＭカードを装着する場合等）、を使用する場合のいずれの場合においても本発明は適用される。すなわち、本発明においては、複数（あるいは一つ）の移動機で共通の第１の識別番号と、移動機ごとに個別である複数の第２の識別番号が存在する。第１の識別番号についてはどの第２の識別番号が活性化状態であっても共通に使用されるが、第２の識別番号については活性化状態のときのみ使用可能となる。
【００４０】
３０は、基地局であり、各々エリア（図示せず）に在圏する移動局と通信する。
【００４１】
２０は、交換局であり、配下の基地局３０および他の交換局２０と交信し移動局６０に対する呼接続を行う。
【００４２】
１０は、サービス制御局であり、その内部のマスタ情報を格納する加入者データベース４０に基づいて、交換局２０に対して、移動局６０に関する各種情報を提供する。
【００４３】
５０は、交換局２０の内部のスレブ情報を格納する加入者データベースであり、配下の基地局３０に在圏する移動局６０に関する情報のみを格納したものである。
【００４４】
ここで、加入者データベースに記憶されているデータ内容の一例を図７に示す。
【００４５】
図７において７１は電話番号記憶部であり、加入者の電話番号が記憶されている。７２は機体番号記憶部であり、１の電話番号記憶部７１に対応して１または複数の機体番号が記憶される。７３はＩＰアドレス記憶部であり、１の機体番号に対応して１のＩＰアドレスが記憶される。７４は所在情報部であり、各機体番号に対応して移動局が在圏するエリアの番号が記憶される。７５は利用可否フラグであり、各移動局が使用可能状態“１”であるか使用不可状態“０”であるかを記憶する。ここで、使用可能状態“１”に設定されている移動局は、同一の電話番号が割り当てられているグループのうち何れか１の移動局であり、他の移動局は使用不可状態“０”に設定される。
【００４６】
図示の例においては、機体番号記憶部７２には、電話番号ＭＳＮ１が割り当てられた「３」個の移動局１〜３に対応する機体番号ＭＳＩ１，ＭＳＩ２，ＭＳＩ３と、電話番号ＭＳＮ２が割り当てられた移動局４に対応する機体番号ＭＳＩ４とが記憶されている。また、所在情報部７４には各移動局の所在情報（在圏エリア番号）Ａ１１，Ａ１３，Ａ１４，Ａ１４が機体番号ＭＳＩ１〜ＭＳＩ４に対応して記憶されている。そして、機体番号ＭＳＩ１，ＭＳＩ２，ＭＳＩ３に対応する利用可否フラグ７５は、機体番号ＭＳＩ１に対応するもののみが使用可能状態“１”に設定され、他の移動局は使用不可状態“０”に設定されている。一方、電話番号ＭＳＮ２が割り当てられた機体番号はＭＳＩ４のみであり、これに対応する利用可否フラグ７５は常に使用可能状態“１”に設定される。なお、図７は４つの移動局に関連する情報のみを表示するが、該加入者データベースには他の移動局についても同様の情報が記憶されている。また、利用可否情報が設定されていないＭＳＮが存在した場合でも、設定されているＭＳＮと同様に通信ネットワークを利用できることは言うまでもない。
【００４７】
なお、図７において、電話番号ＭＳＮと、機体番号ＭＳＩと、ＩＰアドレスのうちいずれかを省略してもよい。
【００４８】
次に、このように構成された本実施の形態における移動通信システムにおいて、複数の加入者データベースの同期を取りつつサービスを実行する動作の一例について、以下に図２乃至図６を参照して詳細に説明する。
【００４９】
なお、以下の実施形態において、通信が可能になっている状態を「活性状態」、活性状態にある網を「活性網」、活性状態以外の通信が制限されている状態を「非活性状態」、非活性状態にある網を「非活性網」という。
【００５０】
図２は、本発明の実施形態が適用される移動体通信システムにおける加入者データベースの書換を行い同期を取る場合の通信シーケンスの一例を示す図であり、通信シーケンスのうち本発明に関係する部分のみを概念的に示している。
【００５１】
本移動通信システムにおいては、以下の手順により、マスタ情報の加入者データベース（以下「マスタデータベース」という）と、スレブ情報の加入者データベース（以下「スレブデータベース」という）の状態を書き換える。
【００５２】
本図においては、まず、マスタデータベースの活性化情報には、活性網としてＢが登録されており、Ｂ網のスレブデータベースは活性状態として管理されている。ここで、「活性化情報」は、図７に示した加入者データベースの所在情報記憶部７４および利用可否フラグ７５を組み合わせることにより判断してもよい。
【００５３】
すなわち、利用可否フラグ７５が“１”が設定されている所在情報記憶部７４のエリアにより活性網を判断する。また、加入者データベースに新たな記憶部を設けて、活性網を別途記憶してもよい。
【００５４】
まず、Ａ網に在圏する移動機から交換機への要求、またＡ網における位置登録、また他網における操作等により、Ａ網の交換機が状態書換要求を認識した場合に「状態書換要求」を送信する（ステップＳ２０２）。ここで、「状態書換要求」の送信契機としては、例えば、網側からの活性化要求（特番、メニューを契機とする）があったとき、網側の発信があったとき、網側からの位置登録があったとき、他の網からの遠隔操作があったとき等がある。
【００５５】
ついで、Ａ網の交換局は、サービス制御局のマスタデータベースに対して「状態書換要求」を送信する（ステップＳ２０４）。
【００５６】
ついで、マスタデータベースは、Ｂ網の交換局のスレブデータベースに対して、「状態確認」を送信する（ステップＳ２０６）。
【００５７】
ついで、スレブデータベースは、状態書換が可能な状態であった場合に、状態書換可能な状態であることを、マスタデータベースに通知する（ステップＳ２０８）。
【００５８】
ついで、マスタデータベースは、Ｂ網の移動機状態の書換が可能であると認識し、「状態書換要求」を送信する（ステップＳ２１０）。
【００５９】
ついで、スレブデータベースは、活性化情報を非活性状態に書き換えて、応答信号を送信する（ステップＳ２１２）。
【００６０】
ついで、マスタデータベースは、Ａ網に対して活性化応答を返却し（ステップＳ２１４）、交換局は、移動機に対して「状態書換応答」を通知する（ステップＳ２１６）。
【００６１】
これにより、複数のデータベース間で同期を取ることができる。すなわち、マスタデータベースでは活性網としてＡ網を意識し、スレブデータベースにおいては非活性状態を意識することになる。
【００６２】
なお、本実施形態においては、Ｂ網からＡ網に活性網を変更する場合を説明したが、Ａ網からＢ網に変更する場合においても同様に手順により行う。
【００６３】
また、マスタデータベースからスレブデータベースへの状態確認の手順については、適宜省略することができる。さらに、上述した確認（ステップＳ２０６、ステップＳ２０８）と書換（ステップＳ２１０、ステップＳ２１２）を一手順で行ってもよい。
【００６４】
図３は、本発明の実施形態が適用される移動体通信システムにおける発信時の通信シーケンスの一例を示す図であり、通信シーケンスのうち本発明に関係する部分のみを概念的に示している。
【００６５】
本移動通信システムにおいては、以下の手順により、マスタデータベースもしくはスレブデータベースに対して活性状態を確認後に発信を行う。
【００６６】
まず、移動機は交換局に対して発信要求を行うと（ステップＳ３０２）、交換局は、マスタデータベースまたは自己のスレブデータベースがある場合にはスレブデータベースに対して状態確認要求を行い（ステップＳ３０４）、発信可否の判断を行う（ステップＳ３０６）。すなわち、利用可否フラグ７５を参照して、“１”の場合には、発信可とする。
【００６７】
ついで、マスタデータベース（スレブデータベース）から状態確認応答を送信し（ステップＳ３０８）、交換局は移動機に対して発信応答を行う（ステップＳ３１０）。
【００６８】
図４は、本発明の実施形態が適用される移動体通信システムにおける着信時の通信シーケンスの一例を示す図であり、通信シーケンスのうち本発明に関係する部分のみを概念的に示している。
【００６９】
本移動通信システムにおいては、以下の手順により、マスタデータベースもしくはスレブデータベースに対して活性状態を確認後に活性網に着信を行う。
【００７０】
まず、ゲート交換局に対して他網から着信要求があった場合には（ステップＳ４０２）、マスタデータベースに対して状態確認要求を行い（ステップＳ４０４）、活性網がＡ網であることを確認する。
【００７１】
ついで、マスタデータベースからＡ網が活性網である旨の状態確認応答を受信したゲート交換局は（ステップＳ４０６）、活性網であるＡ網に対して着信要求を行う（ステップＳ４０８）。
【００７２】
ここで、もしも活性網がＢ網である場合には、Ｂ網に対して着信要求を行うことになる（ステップＳ４１０）。
【００７３】
図５は、本発明の実施形態が適用される移動体通信システムにおける着信時の通信シーケンスの一例を示す図であり、通信シーケンスのうち本発明に関係する部分のみを概念的に示している。
【００７４】
本移動通信システムにおいては、以下の手順により、どちらかの網に対して着信要求を送信し、活性網でなかった場合には他の網に対してに着信要求を行う。
【００７５】
まず、ゲート交換局に対して他網から着信要求があった場合には（ステップＳ５０２）、Ａ網に対して着信要求を行う（ステップＳ５０４）。
【００７６】
ここで、活性網がＢ網である場合には、着信応答を受信し（ステップＳ５０６）、Ｂ網に対して着信要求を行うことになる（ステップＳ５０８）。
【００７７】
図６は、本発明の実施形態が適用される移動体通信システムにおける位置登録時の通信シーケンスの一例を示す図であり、通信シーケンスのうち本発明に関係する部分のみを概念的に示している。
【００７８】
本移動通信システムにおいては、以下の手順により、位置登録されたスレブデータベースに対して、マスタデータベースから活性化情報の書き換えを行う。
【００７９】
まず、スレブデータベースに対して、位置登録要求がされた場合には（ステップＳ６０２）、スレブデータベースからマスタデータベースに対して位置登録要求を行い（ステップＳ６０４）、マスタデータベースに登録された内容をマスタデータベースから送信し（ステップＳ６０６）、スレブデータベースの内容を書き換える。
【００８０】
ついで、スレブデータベースの書き換えが完了すると、加入者関連情報書込応答をマスタデータベースに対して送信し（ステップＳ６０８）、マスタデータベースが位置登録応答を送信する（ステップＳ６１０）。
【００８１】
ついで、スレブデータベースは、位置登録が完了した旨の応答を送信する（ステップＳ６１２）。
【００８２】
上述した実施の形態においては、ＩＭＴ２０００方式、ＰＤＣ／ＰＤＣ―Ｐ方式等の携帯回線交換網／携帯パケット交換網を含む移動通信網を一例に説明したが、本発明はこの場合に限定されるものではなく、他の実施の形態においては、例えば、インターネットや、イントラネットや、ＬＡＮ（有線／無線の双方を含む）や、ＶＡＮや、公衆電話網（アナログ／デジタルの双方を含む）や、ＣＡＴＶ網や、無線呼出網や、局所無線網や、ＰＨＳ網や、衛星通信網等のうちいずれかを含んでもよい。
【００８３】
また、図７に示したデータベースの記憶内容は一例にすぎず、該データベースに他の記憶部等を格納してもよい。また、上述したように各データベースの一例を示し、各実施形態について説明したが、本発明はかかる実施形態に限定されるものではなく、他のいかなるデータベースを用いてもよい。また、上述した実施の形態においては、マスタデータベースおよびスレブデータベースを単独で構成する場合を一例に説明したが、本発明はこの場合に限定されるものではなく、上述した各データベースを、複数のデータベースを必要に応じて適宜組み合わせて構成したいずれの場合においても本発明を実施することができることは当業者にとって自明である。また同様にマスタデータベースとサービス制御局およびスレブデータベースと交換局をそれぞれ単独で構成する場合を一例に説明したが、当該制御局及び交換局に一体化された装置であってもよい。
【００８４】
上述した実施の形態においては、ＩＰアドレスを用いる場合を一例に説明したが、本発明はこの場合に限定されるものではなく、移動機を識別する一意の番号であれば、いずれの場合においても実施することができることは当業者にとって自明である。
【００８５】
上述した実施の形態においては、各実施形態を独立に実現する場合を一例に説明したが、本発明はこの場合に限定されるものではなく、他の実施の形態においては、各実施形態を適宜組み合わせて実施することができることは当業者にとって自明である。
【００８６】
ところで、第３世代の移動通信方式であるＩＭＴ（International  Mobile  Telecommunications）による移動通信サービスの開始に伴い、移動端末の利用者が１つの契約と付与された１つの加入者番号で、ＩＭＴによる移動通信サービスと第２世代の移動通信方式であるＰＤＣ（Personal  Digital  Cellular）による移動通信サービスとを利用することができるようなサービス（デュアルネットワークサービス）が予定されている。移動端末の利用者は、サービス提供エリアに応じて、ＰＤＣネットワークとＩＭＴネットワークの何れかを利用可能（活性状態）にすることにより、何れか一方の移動通信サービスを利用することができる。
【００８７】
このデュアルネットワークサービスは１契約上のサービスである。かかる観点から、デュアルネットワークサービスではＰＤＣによる移動通信サービスとＩＭＴによる移動通信サービスとを同時に利用することは許容されていない。
【００８８】
このため、活性化情報の書換（更新）の際に、ＰＤＣによる移動通信サービスとＩＭＴによる移動通信サービスとの同時利用を抑制した更新方法が必要となる。
【００８９】
以下、２つの通信ネットワークを利用した通信が同時に可能となることを抑制した実施形態について説明する。
【００９０】
図８は、本発明が適用される移動体通信システムのシステム構成の他の例を示す図であり、本システムの構成のうち本発明に関係する部分のみを概念的に示している。
【００９１】
同図に示す移動体通信システム１００は、当該移動体通信システム１００の全体を制御するサービス制御局１１０と、ＰＤＣネットワーク２００内に構成されるＰＤＣ交換局１２０、ＰＤＣ基地局１４０−１、１４０−２（以下、これらＰＤＣ基地局１４０−１，１４０−２をまとめて適宜「ＰＤＣ基地局１４０」と称する）と、ＩＭＴネットワーク３００内に構成されるＩＭＴ交換局１３０、ＩＭＴ基地局１５０−１、１５０−２（以下、これらＩＭＴ基地局１５０−１、１５０−２をまとめて適宜「ＩＭＴ基地局１５０」と称する）、第２の情報管理装置としてのビジターロケーションレジスタ（ＶＬＲ：Visited  Location  Register）１７０と、第１の情報管理装置としてのホームロケーションレジスタ（ＨＬＲ：Home  Location  Register）１６０とを備える。
【００９２】
この移動体通信システム１００は、移動機４００からの要求に応じて、ＰＤＣネットワーク２００とＩＭＴネットワーク３００の何れかを選択的に活性化させて（以下、活性化されているネットワークを「活性化ネットワーク」と称する）、当該移動機４００に対し、ＰＤＣ方式による移動通信サービスとＩＭＴ方式による移動通信サービスとを選択的に提供する。
【００９３】
ＨＬＲ１６０は、移動機４００に関する情報、具体的には移動機４００の電話番号等の加入者情報と、移動機４００の位置を示す情報である在圏位置情報と、移動機４００に対してＰＤＣ方式による移動通信サービスとＩＭＴ方式による移動通信サービスのどちらを提供しているかを示す情報、換言すれば、移動機４００に対してＰＤＣネットワーク２００とＩＭＴネットワーク３００のどちらが活性化されているかを示す情報である活性化情報とを対応付けて管理する。
【００９４】
ここで、活性化情報は、ＰＤＣネットワーク２００の活性化を示す情報、ＩＭＴネットワーク３００の活性化を示す情報、活性化ネットワークを切替中であることを示す情報の３態様の何れかになる。
【００９５】
また、ＨＬＲ１６０は、移動機４００から活性化ネットワークを切り替える要求が送信された場合に、この要求に応じて、活性化情報を更新する。この活性化情報の更新により、活性化ネットワークが切り替えられる。具体的には、移動機４００に対してＩＭＴネットワーク３００が活性化され、ＩＭＴ方式による移動通信サービスの提供を受けている当該移動機４００から活性化ネットワークをＩＭＴネットワーク３００からＰＤＣネットワーク２００に切り替える要求が送信された場合に、ＨＬＲ１６０は、この要求に応じて、活性化情報をＩＭＴネットワーク３００が活性化されていることを示す情報から活性化ネットワークを切替中であることを示す情報に更新し、更にＰＤＣネットワーク２００が活性化されていることを示す情報に更新して、活性化ネットワークをＩＭＴネットワーク３００からＰＤＣネットワーク２００に切り替える。
【００９６】
また、ＨＬＲ１６０は、これら加入者情報、在圏位置情報及び活性化情報をＰＤＣ交換局１２０に提供する。ＰＤＣ交換局１２０は、移動機４００からの発信呼や移動機４００への着信呼が接続されると、ＨＬＲ１６０から提供される加入者情報、在圏位置情報及び活性化情報に基づいて、所定の接続動作を行う。
【００９７】
例えば、移動機４００によるＰＤＣ基地局１４０を介した発信があった場合、ＰＤＣ交換局１２０は、その発信呼に含まれる発信電話番号をキーとして、サービス制御局１１０介して、ＨＬＲ１６０が管理する加入者情報を検索する。ＨＬＲ１６０が管理する加入者情報に発信電話番号を含むものがない場合には、ＰＤＣ交換局１２０は、移動機４００がＰＤＣ方式による通信を行うことができないと判断し、当該移動機４００からの発信呼の接続を拒否する。一方、ＨＬＲ１６０が管理する加入者情報に発信電話番号を含むものがある場合には、ＰＤＣ交換局１２０は、その加入者情報に対応付けられた活性化情報を取得する。そして、ＰＤＣ交換局１２０は、取得した活性化情報がＰＤＣネットワーク２００が活性化されていることを示している場合は、移動機４００からの発信呼の接続を行い、ＩＭＴネットワーク３００が活性化されていること、あるいは、活性化ネットワークを切替中であることを示している場合には、移動機４００からの発信呼の接続を拒否する。
【００９８】
ＶＬＲ１７０は、ＨＬＲ１６０によって管理されている加入者情報、在圏位置情報及び活性化情報を反映させて、管理し、自らが管理する加入者情報、在圏位置情報及び活性化情報と、ＨＬＲ１６０によって管理されている加入者情報、在圏位置情報及び活性化情報との同期をとる。従って、ＨＬＲ１６０が移動機４００からの活性化ネットワークの切替要求に応じて、活性化情報を更新した場合には、ＶＬＲ１７０も同様に活性化情報を更新する。すなわち、ＨＬＲ１６０によって管理されている各種情報がマスタ情報となり、ＶＬＲ１７０によって管理されている各種情報がスレブ情報となる。
【００９９】
また、ＶＬＲ１７０は、これら加入者情報、在圏位置情報及び活性化情報をＩＭＴ交換局１３０に提供する。ＩＭＴ交換局１３０は、ＰＤＣ交換局１２０と同様に、移動機４００からの発信呼や移動機４００への着信呼が接続されると、ＶＬＲ１７０から提供される加入者情報、在圏位置情報及び活性化情報に基づいて、所定の接続動作を行う。
【０１００】
移動体通信システム１００は、上述した構成を有している。次に、この移動体通信システム１００において、移動機４００に対してＩＭＴネットワーク３００が活性化され、ＩＭＴ方式による移動通信サービスの提供を受けている当該移動機４００から活性化ネットワークをＩＭＴネットワーク３００からＰＤＣネットワーク２００に切り替える要求が送信された場合に、この要求に応じて、活性化ネットワークをＩＭＴネットワーク３００からＰＤＣネットワーク２００に切り替え、移動機４００に対し、ＰＤＣ方式による移動通信サービスを提供する際の動作を説明する。
【０１０１】
図９は、活性化ネットワークをＩＭＴネットワーク３００からＰＤＣネットワーク２００に切り替える際の移動体通信システム１００の動作を示す通信シーケンスの一例を示す図である。
【０１０２】
ステップＳ９０１の前においては、ＩＭＴネットワーク３００は活性化され、ＰＤＣネットワーク２００は活性化されていない。従って、ＨＬＲ１６０及びＶＬＲ１７０が管理する活性化情報は、ＩＭＴネットワーク３００が活性化されていることを示し、移動機４００に対してＩＭＴ方式による移動通信サービスが提供される。このとき、ＨＬＲ１６０から活性化情報を取得するＰＤＣ交換局１２０は、移動機４００からの発信呼及び移動機４００への着信呼を接続しない。一方、ＶＬＲ１７０から活性化情報を取得するＩＭＴ交換局１３０は、移動機４００からの発信呼及び移動機４００への着信呼を接続する。
【０１０３】
ＩＭＴ方式による移動通信サービスの提供を受けている移動機４００は、利用者の所定の操作に応じて、活性化ネットワークをＩＭＴネットワーク３００からＰＤＣネットワーク２００に切り替える要求（活性化切替要求）を送信する（ステップＳ９０１）。この活性化切替要求には、発信元の移動機４００の電話番号が含まれる。ＰＤＣ交換局１２０は、移動機４００からの活性化切替要求を受信し、この活性化切替要求をＨＬＲ１６０へ送信する（ステップＳ９０２）。
【０１０４】
ＨＬＲ１６０は、ＰＤＣ交換局１２０からの活性化切替要求を受信すると、自らが管理する活性化情報の中から当該受信した活性化切替要求に含まれる電話番号に対応付けられている活性化情報を抽出し、この活性化情報をＩＭＴネットワーク３００の活性化を示す情報（ＩＭＴ網活性）からＩＭＴネットワーク３００の活性化からＰＤＣネットワーク２００の活性化へ切替中であることを示す情報（切替中）に更新する（ステップＳ９０３）。
【０１０５】
ＨＬＲ１６０により活性化情報がＩＭＴ網活性から切替中に更新された後も、ＰＤＣネットワーク２００は活性化されていない状態（非活性状態）のままである。従って、ＨＬＲ１６０から活性化情報を取得するＰＤＣ交換局１２０は、引き続き移動機４００からの発信呼及び移動機４００への着信呼を接続しない。
【０１０６】
次に、ＨＬＲ１６０は、状態確認要求をＶＬＲ１７０へ送信する（ステップＳ９０４）。この状態確認要求には、移動機４００の電話番号が含まれている。ＶＬＲ１７０は、ＨＬＲ１６０からの状態確認要求を受信すると、自らが管理する活性化情報の中から受信した状態確認要求に含まれる電話番号に対応付けられている活性化情報を抽出し、当該活性化情報が更新可能であるか否かを判定する。次に、ＶＬＲ１７０は、更新可能であると判断した時点で、受信した状態確認要求に含まれる電話番号をＩＭＴ網活性から切替中状態に更新する（ステップＳ９０５）。
【０１０７】
ＶＬＲ１７０により活性化情報がＩＭＴ網活性から切替中に更新された後、当該ＶＬＲ１７０から活性化情報を取得するＩＭＴ交換局１３０は、その活性化情報の更新前から継続している呼についてはその接続を継続するが、新たに発生する移動機４００からの発信呼及び移動機４００への着信呼を接続しない。
【０１０８】
活性化情報の更新後、ＶＬＲ１７０は、活性化情報をＩＭＴ網活性から切替中に更新した旨を示す状態確認応答をＨＬＲ１６０へ返す（ステップＳ９０６）。
【０１０９】
ＨＬＲ１６０は、ＶＬＲ１７０からの状態確認応答を受信すると、次に移動機４００が通信中であるか否かを確認するための通信中状態確認要求をＶＬＲ１７０へ送信する（ステップＳ９０７）。この通信中状態確認要求には、移動機４００の電話番号が含まれる。
【０１１０】
ＶＬＲ１７０は、ＨＬＲ１６０からの通信中状態確認要求を受信すると、当該通信中状態確認要求に含まれる電話番号により移動機４００を特定し、当該移動機４００が通信中であるか否かを判定する。移動機４００が通信中である場合、その呼はステップＳ９０５において活性化情報が更新される前から継続している呼である。ＶＬＲ１７０は、移動機４００が通信を行っていないと判断した時点で、その旨の応答である通信中状態確認応答をＨＬＲ１６０へ返す（ステップＳ９０８）。
【０１１１】
ＶＬＲ１７０からの通信中状態確認応答を受信したＨＬＲ１６０は、ステップＳ９０３において更新した活性化情報を、切替中からＰＤＣネットワーク２００の活性化を示す情報（ＰＤＣ網活性）に更新する（ステップＳ９０９）。ＨＬＲ１６０により活性化情報が切替中からＰＤＣ網活性に更新された後、当該ＨＬＲ１６０から活性化情報を取得するＰＤＣ交換局１２０は、新たに発生する移動機４００からの発信呼及び移動機４００への着信呼を接続する。
【０１１２】
活性化情報の更新後、ＨＬＲ１６０は、活性化切替要求をＶＬＲ１７０へ送信する（ステップＳ９１０）。ＨＬＲ１６０からの活性化切替要求を受信したＶＬＲ１７０は、ステップＳ９０５において更新した活性化情報を、切替中からＰＤＣネットワーク２００の活性化を示す情報（ＰＤＣ網活性）に更新する（ステップＳ９１１）。
【０１１３】
次に、ＶＬＲ１７０は、更新が終了した旨の応答である活性化切替応答をＨＬＲ１６０へ返す（ステップＳ９１２）。ＨＬＲ１６０は、この活性化切替応答をＰＤＣ交換局１２０へ送信し（ステップＳ９１３）、更にＰＤＣ交換局１２０は、この活性化切替応答を活性化切替要求の送信元の移動機４００へ送信する（ステップＳ９１４）。移動機４００は、活性化切替応答を受信することにより、活性化情報がＩＭＴ網活性からＰＤＣ網活性に更新され、活性化ネットワークがＩＭＴネットワーク３００からＰＤＣネットワーク２００に切り替わったことを認識する。
【０１１４】
このように、移動体通信システム１００では、移動機４００に関する情報を管理し、ＰＤＣネットワーク２００内のＰＤＣ交換局２０へ提供するＨＬＲ１６０と、ＨＬＲ１６０が管理する移動機４００に関する情報を反映して管理し、ＩＭＴネットワーク３００内のＩＭＴ交換局１３０へ提供するＶＬＲ１７０は、活性化情報をＩＭＴ網活性からＰＤＣ網活性へ直接更新するのではなく、ＩＭＴ網活性からＰＤＣ網活性への切替中であることを示す情報に更新し、更に切替中からＰＤＣ網活性へ更新することにより、当該活性化情報が切替中の場合には、ＰＤＣネットワーク２００及びＩＭＴネットワーク３００の双方を利用した新たな発信ができなくなる。更に、ＨＬＲ１６０が管理する活性化情報が切替中からＰＤＣ網活性に更新された後、ＶＬＲ１７０が管理する活性化情報が切替中からＰＤＣ網活性に更新されるまでの間は、移動機４００は、ＰＤＣネットワーク２００を利用した新たな発信のみを行うことができる。このため、ＰＤＣネットワーク２００及びＩＭＴネットワーク３００の双方を利用した通信が同時に可能となることを抑制することができる。
【０１１５】
以上述べた形態以外にも種々の変形が可能である。しかしながら、その変形が特許請求の範囲に記載された技術思想に基づくものである限り、その変形は本発明の技術範囲内となる。
【発明の効果】
【０１１６】
以上詳細に説明したように、本発明によれば、加入者データベース（例えば、ホームロケーションレジスタ、ビジターロケーションレジスタ等）において、通信端末の識別番号および活性化情報を記録し、前記複数の加入者データベースにおいて活性化情報の同期をとるので、網内に複数の加入者データベースを有する網間において同一番号での発着信を行う等のサービス提供が可能となる。すなわち、各加入者データベースには、識別番号（電話番号、機体番号、ＩＰアドレス等）とその活性化情報（例えば、利用可能な網の情報）を有しているので、通信端末（移動機等）がどの網に存在しているか判別可能となる。そして、各加入者データベースは、それぞれ同期をとっているため、すべての通信システムにおいて整合性のとれた加入者情報を管理することができる。
【０１１７】
また、本発明によれば、複数ＤＢを持つ網間において、複数移動機もしくは複数識別を持つ単一移動機において、同一番号でのサービス提供が可能となる。
【図面の簡単な説明】
【図１】  本発明が適用される移動通信システムのシステム構成の一例を示す図である。
【図２】  本発明の実施形態が適用される移動体通信システムにおける加入者データベースの書換を行い同期を取る場合の通信シーケンスの一例を示す図である。
【図３】  本発明の実施形態が適用される移動体通信システムにおける発信時の通信シーケンスの一例を示す図である。
【図４】  本発明の実施形態が適用される移動体通信システムにおける着信時の通信シーケンスの一例を示す図である。
【図５】  本発明の実施形態が適用される移動体通信システムにおける着信時の通信シーケンスの一例を示す図である。
【図６】  本発明の実施形態が適用される移動体通信システムにおける位置登録時の通信シーケンスの一例を示す図である。
【図７】  加入者データベースに記憶されているデータ内容の一例を示す図である。
【図８】  本発明が適用される移動通信システムのシステム構成の他の例を示す図である。
【図９】  本発明の実施形態が適用される移動体通信システムにおける活性化ネットワークをＩＭＴネットワークからＰＤＣネットワークに切り替える際の通信シーケンスの一例を示す図である。
【符号の説明】
１０、１１０  サービス制御局
２０  交換局
３０  基地局
４０  加入者データベース（マスタ情報）
５０  加入者データベース（スレブ情報）
６０、４００  移動機
７１  電話番号記憶部
７２  機体番号記憶部
７３  ＩＰアドレス記憶部
７４  所在情報記憶部
７５  利用可否フラグ
１００  移動体通信システム
１２０  ＰＤＣ交換局
１３０  ＩＭＴ交換局
１４０−１、１４０−２  ＰＤＣ基地局
１５０−１、１５０−２  ＩＭＴ基地局
１６０  ホームロケーションレジスタ（ＨＬＲ）
１７０  ビジターロケーションレジスタ（ＶＬＲ）
２００  ＰＤＣネットワーク
３００  ＩＭＴネットワーク
【図１】
0004054554.tif 000002
【図２】
0004054554.tif 000003
【図３】
0004054554.tif 000004
【図４】
0004054554.tif 000005
【図５】
0004054554.tif 000006
【図６】
0004054554.tif 000007
【図７】
0004054554.tif 000008
【図８】
0004054554.tif 000009
【図９】
0004054554.tif 000010